(57)【要約】【課題】  コンタクトの速やかな閉鎖が可能で、装置に損傷を与えにくいアース用スイッチを提供する。【解決手段】  中電圧用のスイッチギアのためのアース用スイッチであって：複数の固定接点と；前記複数の固定接点に接触するように構成された、複数の可動接点表面と；前記第二の複数の接触表面の移動を可能にする移動手段を支持するように構成された、支持構造と；を備えている。前記アース用スイッチは、固定要素及びそれに共軸的に結合された移動要素を備えた、少なくとも一つのガイドを備える。前記移動要素は、前記複数の可動接点表面に作用を与えるように接続され、それによって、それらの可動接点表面が、実質的に直線方向に沿って、前記スイッチの開いた状態に対応する第一の位置から、前記スイッチの閉じた状態に対応する第二の位置へ、移動できるように構成されている。【選択図】      図１ａ
2006032334.tif 000002
【特許請求の範囲】
【請求項１】
複数の固定接点（１０ａ，１０ｂ，１０ｃ）と、
前記複数の固定接点（１０ａ，１０ｂ，１０ｃ）に接触するように構成された、複数の可動接点表面（１５ａ，１５ｂ，１５ｃ）と、
前記第二の複数の接触表面（１５ａ，１５ｂ，１５ｃ）の移動を可能にする移動手段を支持するように構成された、支持構造（３０）と、
を備えた中電圧用のスイッチギアのためのアース用スイッチ（１）において、
固定要素（４０ａ，４０ｂ，４０ｃ）及びそれに共軸的に結合された移動要素（２０ａ，２０ｂ，２０ｃ）を備えた、少なくとも一つのガイドを備え、
前記移動要素（２０ａ，２０ｂ，２０ｃ）は、前記複数の可動接点表面（１５ａ，１５ｂ，１５ｃ）に作用を与えるように接続され、それによって、それらの可動接点表面が、実質的に直線方向に沿って、前記スイッチ（１）の開いた状態に対応する第一の位置から、前記スイッチ（１）の閉じた状態に対応する第二の位置へ、移動することができるように構成されていることを特徴とするアース用スイッチ（１）。
【請求項２】
下記特徴を備えた請求項１に記載のアース用スイッチ（１）：
当該アース用スイッチは、複数の直線ガイドを備え、
各直線ガイドは、それぞれの移動要素（２０ａ，２０ｂ，２０ｃ）に共軸的に結合された固定要素（４０ａ，４０ｂ，４０ｃ）と、前記移動要素（２０ａ，２０ｂ，２０ｃ）に対して横断方向に配置され、且つ前記移動要素の端部に接続されたクロスバー（２６）と、を備え、
前記複数の可動接点表面（１５ａ，１５ｂ，１５ｃ）は、互いに間隔を開けて、前記クロスバー（２６）に沿って設けられ、それによって、当該アース用スイッチ（１）が閉じた状態にあるとき、各可動接点表面が、それぞれの固定接点（１０ａ，１０ｂ，１０ｃ）に接触するように構成されている。
【請求項３】
下記特徴を備えた請求項１に記載のアース用スイッチ（１）：
当該アース用スイッチは、複数の直線ガイドを備え、
各直線ガイドは、それぞれの移動要素（２０ａ，２０ｂ，２０ｃ）に共軸的に結合された固定要素（４０ａ，４０ｂ，４０ｃ）を備え、
前記移動要素のそれぞれは、その端部に、対応する可動接点表面（１５ａ，１５ｂ，１５ｃ）を備え、
各可動接点表面は、当該アース用スイッチ（１）が閉じた状態にあるとき、それぞれの固定接点（１０ａ，１０ｂ，１０ｃ）に接触するように構成されている。
【請求項４】
下記特徴を備えた請求項３に記載のアース用スイッチ（１）：
当該アース用スイッチは、クロスバー（２６）を備え、
このクロスバー（２６）は、前記移動要素（２０ａ，２０ｂ，２０ｃ）に、その端部で接続され、且つ、前記複数の可動接点表面を（１５ａ，１５ｂ，１５ｃ）電気的に接続する。
【請求項５】
下記特徴を備えた請求項１から４のいずれか１項に記載のアース用スイッチ（１）：
前記支持構造（３０）は、
第一の背面ウォール（３１）と、
第二の側面ウォール（３２）と、
第三の側面ウォール（３３）と、
前記複数の直線ガイド（４０）が接続される  第四の下面ウォール（３４）と、
当該構造（３０）の剛性を増大させるように構成された第五の上面ウォール（３８）と、を備え、
前記第一のウォール（３１）および／または前記第五のウォール（３８）は、アース用スイッチ（１）の位置合わせを可能にするように構成されている。
【請求項６】
下記特徴を備えた請求項１から４のいずれか１項に記載のアース用スイッチ（１）：
前記移動手段は、
駆動シャフト（５０）と、
第一及び第二の径方向のアーム（５１，５２）と、を備え、
これらのアーム（５１，５２）は、前記駆動シャフト自体（５０）、及び前記移動要素（２０ａ，２０ｂ，２０ｃ）に、作用を与えるように接続されている。
【請求項７】
下記特徴を備えた請求項６に記載のアース用スイッチ（１）：
前記駆動シャフト（５０）は、前記第一及び第二の側面ウォール（３２，３３）により支持され、
前記駆動シャフト（５０）は、長手方向の端部（５９）を有し、この端部は、操作手段に接続するため、前記支持構造（３０）の外側に突出している。
【請求項８】
下記特徴を備えた請求項６に記載のアース用スイッチ（１）：
前記第一及び第二の径方向のアーム（５１，５２）は、第一の継手によりクロスロッド（２５）に結合され、
前記クロスロッド（２５）は、前記移動要素（２０ａ，２０ｂ，２０ｃ）に対して剛体的に接続され。
前記第一の継手は、前記径方向のアーム（５１，５２）上に第一のスロット（５３）を備え、その中に前記クロスロッド（２５）が挿入されて駆動される。
【請求項９】
下記特徴を備えた請求項８に記載のアース用スイッチ（１）：
前記固定要素（４０ａ，４０ｂ，４０ｃ）のそれぞれは、プリズム継手により前記クロスロッド（２５）に結合され、
このプリズム継手は、前記固定要素上に設けられた直線状のスロット（４２）を備え、
前記クロスロッド（２５）は、前記直線状のスロット（４２）の中に挿入されて駆動される。
【請求項１０】
下記特徴を備えた請求項１から９のいずれか１項に記載のアース用スイッチ（１）：
前記複数のガイドは、前記第一の背面ウォール（３１）及び前記駆動シャフト（５０）の回転軸（５４）に対して実質的に平行な平面上に配置されている。
【請求項１１】
下記特徴を備えた請求項１から１０のいずれか１項に記載のアース用スイッチ（１）：
前記移動手段は、
前記駆動シャフト（５０）及び前記支持構造（３０）に作用を与えるように接続された弾性的なスラスト手段を備え、
前記弾性的なスラスト手段は、対応する弾性スプリング（７３）で周囲を取り囲まれたメインボディ（７２）を有する第一及び第二のスラスト要素（７０，７１）を備え、
前記メインボディ（７２）は、前記駆動シャフト（５０）の突出部（８０）に、対偶環状結合（８１）により結合され、且つ、前記支持構造（３０）に、第二の継手により結合されている。
【請求項１２】
下記特徴を備えた請求項１１に記載のアース用スイッチ（１）：
前記第二の継手は、ピボット（７６）がその中に挿入される開口（７５）を備え、
前記ピボット（７６）は、対応する側面ウォール（３２または３３）に接続され、且つそれから突出している。
【請求項１３】
下記特徴を備えた請求項１から１０のいずれか１項に記載のアース用スイッチ（１）：
前記移動手段は、前記駆動シャフト（５０）及び前記支持構造（３０）に作用を与えるように接続された弾性的なスラスト手段を備え、
前記弾性的なスラスト手段は、第一及び第二のスラスト要素（７０，７１）を備え、それらのスラスト要素は、対応する弾性スプリング（７３）で周囲を取り囲まれた第一のメインボディ（７２）及び第二のメインボディ（７２）を有し、
各メインボディ（７２）は、対応する径方向のアーム（５１，５２）に剛体的に接続され、
前記二つの対、即ち、第一のメインボディ（７２）と第一のアーム（５１）、及び、第二のメインボディ（７２）と第二のアーム（５２）は、横方向のロッド（７４）により接続され、
前記第一のメインボディ及び第二のメインボディは、前記支持構造（３０）に、第二の継手により接続されている。
【請求項１４】
下記特徴を備えた請求項１３に記載のアース用スイッチ（１）：
前記第二の継手は、ピボット（７６）がその中に挿入される開口（７５）を備え、
前記ピボット（７６）は、前記第一の背面ウォール（３１）から突出する第一のガセット（４１）及び第二のガセット（４２）に接続されている。
【請求項１５】
下記特徴を備えた請求項１から１４のいずれか１項に記載のアース用スイッチ（１）：
当該アース用スイッチは、前記アース用スイッチ（１）の閉じた状態および／または及び開いた状態を示すように構成された信号発生手段を備え、
前記信号発生手段は、前記クロスロッド（２５）に接続され前記下面ウォール（３４）に設けられた穴（１１０）の中に挿入されるＣ字形の要素を備え；
前記Ｃ字形の要素は、前記移動要素（２０ａ，２０ｂ，２０ｃ）の移動に従って駆動される。
【請求項１６】
下記特徴を備えた中電圧用のスイッチギア：
当該中電圧用のスイッチギアは、請求項１から１４のいずれか１項に記載のアース用スイッチを備えている。
【発明の詳細な説明】
【技術分野】
【０００１】
本発明は、好ましくは、中電圧用のスイッチギア装置において、通常、１から３６ｋＶまでの範囲の電圧で使用することが可能なアース用スイッチに係る。
【背景技術】
【０００２】
スイッチギア装置は、典型的には、複数の電気的負荷を共通の電気的バスに接続するために使用される。そのような装置は、典型的には、複数のスイッチング装置を備え、それらのスイッチング装置は、一方で、共通のバスに接続され、もう一方で、様々な電気的負荷に接続される。これらのスイッチング装置は、電気的な保護をもたらし、例えば、過負荷または短絡の状態などのような異常な電流状態の間に、負荷を切り離す。
【０００３】
スイッチギアは、しばしば、アース用スイッチを備え、このアース用スイッチは、ラインまたはバス接点のいずれかを、人的な安全のために、アースに接続することを可能にする。このことは、メインテナンス作業の際に、特に重要であるが、スイッチギア装置が通常に機能しているときにも、同様に重要である。ラインまたはバス接点をアースに接続するのに先立って、スイッチギア装置に電気を送っている上流の電源を切り離す必要がある。しかしながら、ある状態においては、生きている回路を誤ってアースに接続してしまうことも起こり得る。もう一つに危険な状態が、バスのメインテナンス作業の際、スイッチの閉鎖を行う前に、上流の電源が、不注意により再び入れられてしまったときに生ずる。上記のいずれの状況においても、使用されているアース用スイッチの正確な機能によって、人的事故及び装置の損傷を防ぐ必要がある。
【０００４】
今日、多くの種類のアース用スイッチが知られており、且つ使用されている。例えば、米国特許ＵＳ−４，４９０，５９５号には、アース用スイッチが開示され、このアース用スイッチは、支点の回りで移動可能な可動ブレード・コンタクトと、一端に開口を有する固定ブレード・コンタクトを有し、この開口が固定接点の相互の間隔を開ける側壁を形成している。このスイッチが開いた状態で、前記可動ブレードは、前記固定ブレード接触に対して平行である。スイッチが閉じる際には、可動ブレード・コンタクトが前記開口の中に、その閉じられた端部から入り、電流接触の領域に移動し、固定ブレード・コンタクトの下に配置された絶縁ストップに接触して止まる。このように、アース用スイッチが閉じた状態において、可動ブレードは、このブレードの固定接点に対して垂直である。
【０００５】
欧州特許出願ＥＰ−Ａ−０５９２３３８には、アース用スイッチが開示され、このアース用スイッチは、他のスイッチに結合された作動装置によって制御されるインターロック装置によって駆動される。このインターロック装置は、複数の可動コンタクトを備えたシャフトを駆動する適切なメカニズムを動かし、これらのコンタクトは、固定軸の回りでの回転運動によって、対応する固定接点に接触するように構成されている。
【０００６】
今日の技術水準において、既知のアース用スイッチは、要求される機能を適切に果たしているが、まだ、欠点も残されており、改良すべき幾つかのアスペクトがある。事実、多くのケースにおいて、既知のアース用スイッチは、アース用スイッチの最良の機能性を保証するためには不十分な構造を有している。特に、それらは、生きている回路を閉じる動作の際に発生する磁気反発力に対抗可能な、最良の接触圧力を保証していない。
【０００７】
また、部品の従来のレイアウト、及び可動コンタクトの従来の移動システムは、多数の要素によって実現され、それらの要素は、面倒で且つ複雑なソリュ−ションに従って、相互に組み立てられる。更に、いくつかのアース用スイッチは、スイッチギアの構造の中への挿入が容易ではない形状を有している。そのような状態は、組み立ての時間及びコストの増大を招き、信頼性にも影響する。
【特許文献１】米国特許ＵＳ−４，４９０，５９５号明細書
【特許文献２】欧州特許出願公開ＥＰ−Ａ−０５９２３３８号明細書
【発明の開示】
【発明が解決しようとする課題】
【０００８】
従って、既知のアース用スイッチに代わる、有効な形態を提供すると言う技術的ソリュ−ションを得ることについての必要性は、明白である。かくして、本発明の主なる狙いは、先に挙げた欠点を克服することが可能なアース用スイッチを提供することにある。
【０００９】
この目的の範囲内で、本発明の目的は、短いレスポンスタイムを有するアース用スイッチを提供し、それによって、コンタクトの速やかな閉鎖、及び、心配される装置のダメージの回避を可能にすることにある。
【００１０】
本発明の他の目的は、生きている回路でアース用スイッチが閉じられたときに発生する磁気反発力に、接触圧力が対抗可能なアース用スイッチを提供することにある。
【００１１】
本発明の更に他の目的は、部品点数が少なく、相互の組み立て及びアース用スイッチが挿入されるスイッチギアへの組み込みが容易な、アース用スイッチを提供することにある。
【００１２】
更に、本発明の目的は、信頼性が高く、製造が容易で、コスト的に競争力があるアース用スイッチを提供することにある。
【課題を解決するための手段】
【００１３】
上記の主なる狙い及び目的は、以下において明らかになる他の目的とともに、請求項１に基づくアース用スイッチによって実現される。
【００１４】
コンパクトな構造及び閉鎖のため所要時間が短いことは、本発明に基づくアース用スイッチの二つの明白な利点である。それぞれの移動コンタクトのために直線ガイドを使用することにより、それらの移動コンタクトの直線移動が実現され、従って、可動接点の回転運動による従来の装置と比べて、全体的に信頼性が増大する。その理由は、機械的応力が減少し、且つ、全体構造を軽量化することができるからである。
【発明を実施するための最良の形態】
【００１５】
更なる特徴及び利点は、本発明に基づくアース用スイッチの、好ましいが限定的ではない実施形態の説明から、より明らかになるであろう。それらの実施形態は、例示目的の非限定的な例として、添付図面を用いて示されている。
【００１６】
図に示されているように、本発明に基づくアース用スイッチ１は、複数の固定接点１０ａ，１０ｂ，１０ｃ、及びそれらに対応する複数の可動接点表面１５ａ，１５ｂ，１５ｃを備えている。図４に示されているように、前記固定接点１０ａ，１０ｂ，１０ｃは、例えば、アース用スイッチ１が挿入されるスイッチギア装置２の支持平面上に配置することが可能である。それらのそれぞれは、前記可動接点表面１５ａ，１５ｂ，１５ｃの一つが、接触するように構成されている。これらの可動接点は、移動手段により動かされ、当該移動手段は、前記スイッチギア装置２の内部構造３に接続された支持構造３０により支持されている。これについては、後に更に詳しく説明する。
【００１７】
好ましくは、本発明に基づくアース用スイッチ１は、固定要素及びそれに共軸的に結合された移動要素を有する少なくとも一つのガイドを備えている。特に、この移動要素は、可動接点表面に作用を与えるように接続され、それによって、第一の位置から第二の位置への、実質的に直線方向に沿った可動接点の移動を可能にする。上記第一の位置は、スイッチが開かれた状態に対応し、そこでは、可動接点表面１５ａ，１５ｂ，１５ｃが、対応する固定接点１０ａ，１０ｂ，１０ｃから電気的に切り離されている。上記第二の位置は、スイッチが閉じられた状態に対応し、そこでは、可動接点表面１５ａ，１５ｂ，１５ｃが、対応する固定接点１０ａ，１０ｂ，１０ｃに電気的に結合される。
【００１８】
好ましくは、本発明に基づくアース用スイッチ１は、複数の直線ガイドを備え、各直線ガイドは、固定要素４０ａ，４０ｂ，４０ｃを有し、それらは、対応する移動要素２０ａ，２０ｂ，２０ｃに共軸的に結合されている。特に、図１から２の中に示されている第一の実施形態で、各ガイドは、それぞれ一つの固定要素４０ａ，４０ｂ，４０ｃを備え、各固定要素は、それぞれの対応する移動要素２０ａ，２０ｂ，２０ｃに共軸的に結合されている。各移動要素２０ａ，２０ｂ，２０ｃは、その一端に、対応する可動接点表面１５ａ，１５ｂ，１５ｃを、それぞれ有し、それらは、スイッチ１が閉じられた状態にあるとき、それぞれの固定接点１０ａ，１０ｂ，１０ｃに接触するように構成されている。
【００１９】
更に、このスイッチは、好ましくは、クロスバー２６を有し、このクロスバー２６は、その端部で、前記移動要素２０ａ，２０ｂ，２０ｃに接続され、且つ、複数の可動接点表面１５ａ，１５ｂを電気的に互いに接続する。このクロスバー２６は、移動要素２０ａ，２０ｂ，２０ｃの端部に近傍に固定された、例えば、銅製のバーを備えている。スイッチギア装置２の上流の電源が切り離される前に、もし、アース用スイッチ１が閉じられた場合には、好ましくは、装置に損傷を与えることなく、上記クロスバー２６は、例えば、結合された伝導要素２７（例えば、図を簡潔にするため図３の実施形態の中のみに示された、適当な形状に形成された編み組み）を介して、接地動作を可能にする。
【００２０】
同様に、この同じソリューションは、例えば、ユニークな編み組みを用いて、あるいは、各層に対してそれぞれ単一の編み組みを用いることによって、図１〜２ｂの実施形態に対しても適用することが可能である
図３−３ａに示された第二の実施形態では、アース用スイッチ１は、複数の、例えば二つの、直線ガイドを備えている。各直線ガイドは、固定要素４０ａ，４０ｂ，４０ｃとクロスバー２６とを備えている。各固定要素は、移動要素２０ａ，２０ｂ，２０ｃに、それぞれ共軸的に結合されている。クロスバー２６は、移動要素２０ａ，２０ｂ，２０ｃに対して横方向に配置され、移動要素に直接接続されている。
【００２１】
好ましくは、この実施形態において、可動接点表面は、クロスバー２６自体の一部１５ａ，１５ｂ，１５ｃにより構成され、その長手方向に互いに離れて配置されており、それぞれの部分は、スイッチ１が閉じられた状態にあるとき、それぞれの固定接点１０ａ，１０ｂ，１０ｃに接触する。また、このケースでは、クロスバー２６は、もし、上流の電源が切り離される前にアース用スイッチ１が閉じられた場合に、装置に損傷を与えることなく、接地動作を行うことを可能にする。
【００２２】
双方の実施形態の中で示されているように、ガイドは、好ましくは、例えば、管状の固定要素４０ａ，４０ｂ，４０ｃの形で実現され、その中に、対応する管状の移動要素２０ａ，２０ｂ，２０ｃが共軸的に挿入される。従って、可動接点表面１５ａ，１５ｂ，１５ｃは、移動要素２０ａ，２０ｂ，２０ｃに作用を与えるように結合されており、実質的に直線方向に沿って、第一の開いた状態から第二の閉じた状態へ移動する。図４の中で矢印１５０によって示されているように、前記直線方向を、固定接点１０ａ，１０ｂ，１０ｃと接触表面１５ａ，１５ｂ，１５ｃの間を最短距離で結ぶ方向に一致させることが可能である。
【００２３】
支持構造３０は、順に、第一の背面ウォール３１、第二の側面ウォール３２、第三の側面ウォール３３、及び第四の下面ウォール３４を、備えている。第一の背面ウォール３１は、スイッチ１をスイッチギア装置２の構造の内側へ配置することを可能にする。図４中に示されているように、背面ウォール３１は、好ましくは、スイッチギア装置２の内側のパネル４に、従来の接続手段（例えば、ボルト、ネジ、または他の同等手段）を用いて、固定することが可能である。
【００２４】
好ましくは、前記第二及び第三の側面ウォール３２，３３は、実質的に、前記第一の背面ウォール３１に対して垂直であり、下面ウォール３４を支持するように構成され、その下面ウォール３４に、前記複数のガイドが、好ましくは、接続される。例えば、図１ａの中に示されているように、上記のガイドは、好ましくは、前記第一の背面ウォール３１に対して実質的に平行な平面の上に配置される。
【００２５】
好ましくは、上記の支持構造３０は、上面ウォール３８に組み込まれ、この上面ウォール３８は、全体構造３０の機械的強度の増大に寄与する。更に、前記上面ウォール３８は、スイッチギア装置２の内部でのアース用スイッチ１の位置合わせのためにも、背面ウォール３１に加えてまたは背面ウォール３１の代わりに、使用することが可能である。
【００２６】
先に説明したように、本発明に基づくアース用スイッチ１は、複数の可動接点表面１５ａ，１５ｂ，１５ｃを動かすための手段を備えている。例えば、図１ｂを参照すると、前記移動手段は、駆動シャフト５０を備え、この駆動シャフト５０は、その長手方向の端部で、側面ウォール３２及び３３によって支持されている。特に、駆動シャフト５０の一つの長手方向の端部（参照符号５９で示されている）が、操作手段（図示せず）との作用的接続のために、支持構造３０の外側に突出している。これらの操作手段は、シャフト５０の手動操作を可能にするために使用され、例えば、スイッチギア装置２の外から、ユーザーによって操作される金属製ロッドを備えている。
【００２７】
更に、上記の移動手段は、第一の径方向のアーム５１及び第二の径方向のアーム５２を備え、それらのアームは、移動要素２０ａ，２０ｂ，２０ｃ及びシャフト５０自体に、作用を与えるように接続され、それによって、その回転軸５４に対して横方向に、好ましくは垂直に、突出するように構成されている。更に、上記のシャフト５０は、その軸５４が、前記ガイドが配置されている前記平面に対して実質的に平行となるように、配置されている。
【００２８】
特に、前記第一及び第二の径方向のアーム５１及び５２は、クロス要素またはクロスロッド２５に直接接続され、それらのクロスロッド２５は、前記移動要素２０ａ，２０ｂ，２０ｃを、剛体的に互いに接続するように構成されている。上記のクロスロッド２５は、これらの移動要素が、前記固定要素４０ａ，４０ｂ，４０ｃの中に共軸的に挿入された後に、例えば、前記移動要素２０ａ，２０ｂ，２０ｃに結合することが可能な金属製ロッドを備えている。このようにして、上記の移動要素２０ａ，２０ｂ，２０ｃは、クロスロッド２５が前記駆動シャフト５０によって駆動されたとき、同時に動くことができる。
【００２９】
好ましくは、例えば図１ａの中に示されているように、径方向のアーム５１及び５２は、第一の輪郭継手（shape coupling）によって、クロスロッド２５に接続される。この輪郭継手は、好ましくは、前記アーム５１，５２に設けられた第一のスロット５３を有し、このスロットの中に、前記クロスロッド２５が挿入されて駆動される。なお、“輪郭継手”という言葉は、第一のボディが、第二のボディに対して、回転角度については独立に、一つの方向に沿って移動可能な継手を意味している。
【００３０】
この対偶結合（kinematic couple）は、２度の自由度が可能であり、その対偶要素の形状は、二つのボデイの間の接触を維持するために十分なものである。
【００３１】
可動コンタクト２０の直線移動を可能にするために、直線状のスロット４３が、固定要素４０ａ，４０ｂ，４０ｃに沿って設けられ、クロスロッド２５を保持し且つガイドしている。このようにして、固定要素４０ａ，４０ｂ，４０ｃ及びクロスロッド２５が、プリズム継手により、互いに接続される。
【００３２】
上述の継手を用いることによって、駆動シャフト５０の回転運動が、クロスロッド２５の直線的移動に変換され、その結果、移動要素２０ａ，２０ｂ，２０ｃの直線的移動に変換される。この目的のため、部品の数が少ない上記の対偶結合が用いられる。好ましくは、上記の対偶結合は、コンパクトな構造３０の中に挿入され、このコンパクトな構造３０は、僅かなクリアランス容積しか必要とせず、且つ、スイッチギア装置２の内部構造に容易に結合することができる。
【００３３】
好ましくは、上記の移動手段はまた、弾性的なスラスト手段を備え、この弾性的なスラスト手段は、前記駆動シャフト５０と前記支持構造３０に作用を与えるように接続されている。好ましい実施形態によれば、前記弾性的なスラスト手段は、第一のスラスト要素７０及び第二のスラスト要素７１を備え、そのそれぞれは、メインボディ７２、及び対応するメインボディ７２を取り囲むように取り付けられた弾性スプリング７３を備えている。
【００３４】
図１〜２に示した実施形態において、メインボディ７２は、それぞれ、駆動シャフト５０の対応する突出部８０に、対偶環状結合８１により結合され、更に、対応する側面ウォール３２または３３に、第二の継手により結合されている。特に、図１〜２に示された第一の実施形態においては、スラスト要素７１及び７２が、側面ウォール３２，３３の近傍に配置され、前記第二の継手は、前記ボディ７２に設けられた開口７５、及びこの開口７５の中に挿入されたピボット７６を備え、このピボット７６は、対応する側面ウォール３２または３３に固定され、そこから突出している。
【００３５】
好ましくは、図３〜３ａに示した実施形態において、二つの間隔を開けて配置されたガセット４１，４２が設けられ、それらは、背面ウォール３１から横方向に突出している。上記のピボット７６は、各ボディ７２の開口７５を通り、その端部で、これらのガセット４１，４２に固定されている。好ましくは、この実施形態において、これらのガセット４１，４２は、互いに平行に且つ近接して、支持構造３０の実質的に中央に配置される。更に、各メインボディ７２は、対応するアーム５１または５２に、固定状態で接続され、これらの二つの結合、即ち、第一のメインボディ７２とアーム５１及び第二のボディ７２とアーム５２は、横方向のロッド７４により、互いに固定的に接続されている。このようにして、上記のスイッチ１は、よりコンパクトで、頑丈で、且つ機能的に優れた全体構造を有している。
【００３６】
好ましくは、両方の実施形態において、弾性スプリング７３は、前記第二の継手と協働して機能し、それによって、駆動シャフト５０の回転運動を加速し、アース用スイッチ１の閉鎖運動を速めるように構成されている。 
次に、図１ａ及び２ａを用いて、このアース用スイッチ１の動作原理について説明する。アース用スイッチ１が開いた状態にあるとき、弾性的スラスト要素７０及び７１の弾性スプリング７３は、ピボット７６により、圧縮されている。前記操作手段を操作することによって、駆動シャフト５０がその回転軸５４の回りで回転し、径方向のアーム５１，５２及び突出部８０を回転させる。
【００３７】
これらの要素の回転は、図１ａの中に示された矢印３００の方向に行われる。最初に、突出部８０の回転によって、スプリング７３が更に圧縮され、それにより、メインボディ７２が、前記第二の継手のために、固定ピボット７６に対する位置を変える。この圧縮過程は、デッド・ポイントに到達するまで続く。このデッド・ポイントで、駆動シャフト５０の回転軸、対偶環状結合８１の軸、及びピボット７６の軸が、同一平面上に揃う。この平衡状態の位置を過ぎたとき、スプリング７３が運動エネルギーを解放し、駆動シャフト５０の回転運動を加速させる。この加速された回転運動は、径方向のアーム５１，５２及び第一の輪郭継手によって、移動要素２０ａ，２０ｂ，２０ｃに伝達される。
【００３８】
このソリューションは、アース用スイッチ１を閉鎖するための時間を非常に短くすることを可能にする。特に、スプリング７３は、例えば、図２，２ａ及び２ｂの中に示されているように、生きている回路上でアース用スイッチ１が閉じられたときに発生する磁気反発力に対抗するように設定される。同様な操作が、図３に示した実施形態でも行われる。その場合、ボディ７２は、アーム５１及び５２、及びロッド７４と、実質的に一緒に移動する。
【００３９】
本発明に基づくアース用スイッチ１には、信号発生手段を設けることができる、この信号発生手段は、人的な安全性を高めるために、アース用スイッチの動作状態を視覚的に表示するように構成される。
【００４０】
好ましい実施形態によれば、前記信号発生手段は、Ｃ字形の要素１００を備えている。このＣ字形の要素１００は、図面を簡潔にするため、図１〜２の実施形態中のみに描かれているが、ユーザが外から見ることができる。このＣ字形の要素１００は、前記クロスロッド２５に接続され、前記下面ウォール３４に形成された穴１１０の中に挿入されていて、それにより、前記複数の移動要素２０の移動に従い、駆動されるように構成されている。
【００４１】
先に指摘したように、アース用スイッチ１は、好ましくは、スイッチギア装置（例えば、図４に示されているようなＭＶスイッチ装置）の中で使用される。特に、このアース用スイッチ１は、パネル４に対して縦方向の位置で接続されているが、しかし、スイッチギア装置１の部品のレイアウトに応じて、水平方向または傾斜した位置で接続されることも可能である。
【００４２】
実際に、本発明に基づくアース用スイッチが意図された狙い及び目的を十分に実現し、既知の先行技術と比べて多くの利点をもたらすことが確認された。もちろん、本発明に基づくアース用スイッチは、大幅に改善された機能性を備え、コンパクトな構造と、部品点数が少なく容易に互いに組み立てることが可能な対偶結合とを備えている。特に、この合目的的な全体構造は、中でもガイドの構造は、動作の正確性及び再現性を増大させて、信頼性を大幅に改善する。
【００４３】
以上のアース用スイッチは、変更及び変形が可能であり、その全てが本発明の概念の範囲内に入る。更に、細部は全て、技術的に等価な要素と置き換えることが可能である。実際、使用される材料は、その寸法とともに、それらがそれぞれの用途に適合していれば、要求の仕様及び技術水準に従い、いかなるものであっても良い。
【図面の簡単な説明】
【００４４】
【図１】本発明に基づくアース用スイッチの第一の実施形態の斜視図であって、開いた状態を示している。
【図１ａ】図１のアース用スイッチの側面図である。
【図１ｂ】図１のアース用スイッチの正面図である。
【図１ｃ】図１のアース用スイッチの上面図である。
【図２】図１のアース用スイッチであって、閉じた状態を示している。
【図２ａ】図１のアース用スイッチで側面図であって、閉じた状態を示している。
【図２ｂ】図１のアース用スイッチで正面図であって、閉じた状態を示している。
【図３】本発明に基づくアース用スイッチの第二の実施形態の斜視図であって、閉じた状態を示している。
【図４】本発明に基づくアース用スイッチを備えたＭＶスイッチ装置の実施形態の図である。
【符号の説明】
【００４５】
１・・・アース用スイッチ１、２・・・スイッチギア装置、３・・・内部構造、４・・・パネル、１０ａ，１０ｂ，１０ｃ・・・固定接点、１５ａ，１５ｂ，１５ｃ・・・可動接点表面、２０ａ，２０ｂ，２０ｃ・・・移動要素、２５・・・クロスロッド、２６・・・クロスバー、２７・・・伝導要素、３０・・・支持構造、３１・・・背面ウォール、３２・・・側面ウォール、３３・・・側面ウォール、３４・・・下面ウォール、３８・・・上面ウォール、４０ａ，４０ｂ，４０ｃ・・・固定要素、４１，４２・・・ガセット、４３・・・スロット、５０・・・駆動シャフト、５１・・・第一の径方向のアーム、５２・・・第二の径方向のアーム、５３・・・第一のスロット、５４・・・回転軸、５９・・・駆動シャフトの端部、７０・・・第一のスラスト要素、７１・・・第二のスラスト要素、７２・・・メインボディ、７３・・・弾性スプリング、７４・・・ロッド、７５・・・開口、７６・・・ピボット、８０・・・突出部、８１・・・対偶環状結合、１００・・・Ｃ字形の要素、１１０・・・穴。
【図１】
2006032334.tif 000003
【図１ａ】
2006032334.tif 000004
【図１ｂ】
2006032334.tif 000005
【図１ｃ】
2006032334.tif 000006
【図２】
2006032334.tif 000007
【図２ａ】
2006032334.tif 000008
【図２ｂ】
2006032334.tif 000009
【図３】
2006032334.tif 000010
【図４】
2006032334.tif 000011